(57)【要約】      （修正有）【課題】複数の容器の互いに口径を異にする口部のそれぞれに対して異なる時機に着脱でき、各容器の内容物を容器の内外に簡易に流通可能にするキャップを提供する。【解決手段】キャップ１０は、天面部１１に、小口径の口部１Ａに着脱できる内側筒部１２と、内側筒部の径方向外側に配置されて、大口径の口部に着脱できる外側筒部１３とが設けられ、天面部における内側筒部に囲まれる範囲内にチューブ挿通用孔部１１Ａが形成される。内側筒部は小口径の口部に着脱できるねじ１２Ａを備え、外側筒部は大口径の口部に着脱できるねじ１３Ａを備える。【選択図】図３
0003219024.tif 000002
【実用新案登録請求の範囲】
【請求項１】
複数の容器の互いに口径を異にする口部のそれぞれに対して異なる時機に着脱できるキャップであって、
天面部に、小口径の口部に着脱できる内側筒部と、該内側筒部の径方向外側に配置されて、大口径の口部に着脱できる外側筒部とが設けられ、
上記天面部における内側筒部に囲まれる範囲内にチューブ挿通用孔部が形成されるキャップ。
【請求項２】
前記内側筒部は小口径の口部に着脱できるねじを備え、外側筒部は大口径の口部に着脱できるねじを備える請求項１に記載のキャップ。
【請求項３】
前記内側筒部に備えたねじと、外側筒部に備えたねじの種類が異なる請求項２に記載のキャップ。
【請求項４】
前記容器に被着された状態で、容器の内部空間を外界に連通する空気流通路が形成される請求項１乃至３のいずれかに記載のキャップ。
【請求項５】
前記内側筒部と外側筒部が前記天面部の一側面に設けられる請求項１乃至４のいずれかに記載のキャップ。
【請求項６】
前記内側筒部の全長Ｌ1と前記外側筒部の全長Ｌ2とがＬ1＜Ｌ2をなす請求項５に記載のキャップ。
【考案の詳細な説明】
【技術分野】
【０００１】
本考案は洗浄剤、飲料物等の各種内容物が収容された容器の口部に着脱して用いられるキャップに関する。
【背景技術】
【０００２】
従来、ボトルの口部に着脱できるキャップとして、特許文献１に記載の如く、天面部に設けた孔部に吸引ストローが挿通固定されたものがある。吸引ストローは、一端がボトル内部の底部に達するように位置され、他端が外部に延出され、ボトル内の飲料物を吸引可能にする。
【０００３】
尚、特許文献２には、吐出口付二重容器として、外容器の内部に内容器を設け、外容器と内容器の各開口を閉塞できる蓋体を有し、内容器の内容物を外部に吐出する吐出口を蓋体に備えたものがある。外容器の押圧によって外容器が内側に撓むと、外容器と内容器の間の空間部が押圧され、その空間部の圧力により内容器が押圧されて縮められ、内容器の内容物が吐出口から吐出できる。外容器の押圧を止めれば、外容器が復元しようとして上記空間部が減圧され、外部から空間部に空気が導入されて外容器が復元される。
【先行技術文献】
【特許文献】
【０００４】
【特許文献１】実用新案登録第3172476号公報
【特許文献２】特開2000-296888号公報
【考案の概要】
【考案が解決しようとする課題】
【０００５】
特許文献１に記載のキャップを口径が異なる複数の容器のそれぞれに対して異なる時機に適用し、各容器の内容物を取り出そうとするときには、各容器の口径に対応する複数のキャップを用意するとともに、各キャップ毎に用意した吸引ストロー等のチューブを各キャップの天面部に設けた孔部に挿通固定する必要がある。複数の容器毎に別個のキャップ及びチューブを用意する必要があり、それらのキャップ及びチューブの管理に困難を伴う。
【０００６】
尚、特許文献２に記載の蓋体は、外容器の内部に内容器を設けた二重容器に適用され、外容器の押圧によって内容器を押圧し、内容器の内容物を吐出可能にするものであり、外容器と内容器の双方に対して同一時機に適用されるものであり、外容器と内容器のそれぞれに対して異なる時機に適用されるところが全くない。
【０００７】
本考案の課題は、複数の容器の互いに口径を異にする口部のそれぞれに対して異なる時機に着脱できるキャップであって、各容器の内容物を当該容器の内外に簡易に流通可能にすることにある。
【課題を解決するための手段】
【０００８】
請求項１に係る考案は、複数の容器の互いに口径を異にする口部のそれぞれに対して異なる時機に着脱できるキャップであって、天面部に、小口径の口部に着脱できる内側筒部と、該内側筒部の径方向外側に配置されて、大口径の口部に着脱できる外側筒部とが設けられ、上記天面部における内側筒部に囲まれる範囲内にチューブ挿通用孔部が形成されるようにしたものである。
【考案の効果】
【０００９】
本考案によれば、複数の容器の互いに口径を異にする口部のそれぞれに対して異なる時機に着脱できるキャップであって、各容器の内容物を当該容器の内外に簡易に流通することができる
【図面の簡単な説明】
【００１０】
【図１】図１はキャップを示す半断面図である。
【図２】図２はキャップを示し、（Ａ）は斜視図、（Ｂ）は底面側から視た状態の斜視図である。
【図３】図３はキャップが小口径の口部を有する容器に適用される状態を示す模式図である。
【図４】図４はキャップが大口径の口部を有する容器に適用される状態を示す模式図である。
【図５】図５はキャップの変形例を示す底面図である。
【図６】図６はキャップの他の変形例を示す半断面図である。
【図７】図７はキャップの他の変形例を示す底面図である。
【考案を実施するための形態】
【００１１】
図１、図２に示したキャップ１０は、複数の容器、本実施形態では図３、図４のそれぞれに示した２つのボトル１、２の互いに口径ｄ1、ｄ2を異にする口部１Ａ、２Ａ（ｄ1＜ｄ2）のそれぞれに対して異なる時機に着脱できる。各口部１Ａ、２Ａはそれらの外周にねじ１Ｂ、２Ｂのそれぞれを備える。
【００１２】
ボトル１、２は、本実施形態において、液状洗浄剤を内容物とする。各ボトル１、２の内容物はチューブ３を介して外部に流出し、洗浄対象機器の洗浄に供される。
【００１３】
ここで、キャップ１０は、有天筒状体をなし、天面部１１の一側面（内側面）に、ボトル１の小口径の口部１Ａに着脱できる内側筒部１２と、該内側筒部１２の径方向外側に配置されて、ボトル２の大口径の口部２Ａに着脱できる外側筒部１３とが、それらの軸方向に沿って略垂設されて設けられる。外側筒部１３は、内側筒部１２と同じ天面部１１の一側面（内側面）において、内側筒部１２の外側に配置されている。天面部１１の一側面は、ボトル１、２の口部に向けられる面である。天面部１１から略垂設された内側筒部１２の全長Ｌ1はボトル１の口部１Ａの軸方向に沿う長さに応じて定められ、天面部１１から略垂設された外側筒部１３の全長Ｌ2はボトル２の口部２Ａの軸方向に沿う長さに応じて定められ、本実施形態ではＬ1＜Ｌ2になっている。
【００１４】
内側筒部１２はその内周に小口径の口部１Ａ（ねじ１Ｂ）に着脱できるねじ１２Ａを備える。外側筒部１３はその内周に大口径の口部２Ａ（ねじ２Ｂ）に着脱できるねじ１３Ａを備える。本実施形態において、外側筒部１３は内側筒部１２の中心軸に対して同心配置され、内側筒部１２と外側筒部１３の間にはボトル２の大口径の口部２Ａが入る環状空間部Ｇが形成される。また、外側筒部１３の外周面には筋状ローレット部Ｒが形成されている。
【００１５】
そして、キャップ１０は、天面部１１における内側筒部１２に囲まれる範囲内に、チューブ３を挿通可能にするチューブ挿通用孔部１１Ａが形成される。本実施形態では、図３、図４に示す如く、天面部１１のチューブ挿通用孔部１１Ａに挿通されたチューブ３の軸方向で該天面部１１を内外から挟む２位置のそれぞれにはチューブ取付用リング４、５の孔が摩擦力を生じ得る締まり嵌め状態で嵌着され、チューブ３の外周に嵌着されたチューブ取付用リング４、５のそれぞれを天面部１１の一側面（内側面）と他側面（外側面）に添設し、チューブ３はこれらのチューブ取付用リング４、５を介してキャップ１０に取付けられる。このとき、チューブ３は、チューブ取付用リング４、５の孔に対して摩擦しつつ摺動してその軸方向の一方又は他方に引き抜かれ、キャップ１０が各ボトル１、２の口部１Ａ、２Ａのそれぞれに被着される状態下で、該チューブ３の該ボトル１、２への挿入端部が該ボトル１、２の底部（不図示）に対する相対設定位置（底部とのギャップ等）を適宜調整できる。
【００１６】
尚、キャップ１０にあっては、上述のチューブ取付用リング４、５を用いず、天面部１１のチューブ挿通用孔部１１Ａがチューブ３の摩擦力を生じ得る締まり嵌め状態で嵌着されるものでも良い。このとき、チューブ３は、天面部１１のチューブ挿通用孔部１１Ａに対して摩擦しつつ摺動してその軸方向の一方又は他方に引き抜かれ、該チューブ３のボトル１、２への挿入端部が該ボトル１、２の底部に対する相対設定位置を適宜調整可能とされるものでも良い。
【００１７】
また、キャップ１０は、各ボトル１、２の口部１Ａ、２Ａのそれぞれに被着された状態で、各ボトル１、２の内部空間を外界に連通する空気流通路１４が形成される。本実施形態において、空気流通路１４は、天面部１１における内側筒部１２に囲まれる範囲内にある２位置のそれぞれに貫通される孔状通路とされ、この孔状通路の両端のそれそれが各ボトル１、２の内部空間と外界のそれぞれに直に臨んで開口し、各ボトル１、２の内容物がチューブ３を介してそれらの容器外に流出するとき、当該容器内に生ずる負圧を解消可能にする。
【００１８】
従って、キャップ１０は各ボトル１、２の口部１Ａ、２Ａのそれぞれに被着されて使用される。
【００１９】
キャップ１０が、図３に示す如く、小口径の口部１Ａを備えたボトル１に被着されるとき、ボトル１の口部１Ａはそのねじ１Ｂをキャップ１０の内側筒部１２のねじ１２Ａに螺着され、口部１Ａの先端面を天面部１１の一側面（内側面）に近接又は突き当てられ、ボトル１の内部空間は天面部１１の孔状空気流通路１４を介して外部に連通する。ボトル１の内容物はチューブ３を介して容器外に流出可能になる。
【００２０】
キャップ１０が、図４に示す如く、大口径の口部２Ａを備えたボトル２に被着されるとき、ボトル２の口部２Ａはそのねじ２Ｂをキャップ１０の外側筒部１３のねじ１３Ａに螺着され、口部２Ａの先端面を天面部１１の一側面（内側面）に近接又は突き当てられ、ボトル２の内部空間は天面部１１の孔状空気流通路１４を介して外部に連通する。ボトル２の内容物はチューブ３を介して容器外に流出可能になる。
【００２１】
ここで、キャップ１０の内側筒部１２に備えたねじ１２Ａと、外側筒部１３に備えたねじ１３Ａとは、それらのねじの種類、例えばねじのピッチ、リード、ねじ山高さ、条数等を異なるものとすることができる。
【００２２】
従って、本実施形態によれば、以下の作用効果を奏する。
(a)キャップ１０は複数のボトル１、２の互いに口径を異にする口部１Ａ、２Ａのそれぞれに異なる時機に着脱され、各ボトル１、２の内容物を当該ボトル１、２の内外に簡易に流通させることができる。
【００２３】
即ち、チューブ３がキャップ１０の天面部１１における内側筒部１２に囲まれる範囲内に形成されたチューブ挿通用孔部１１Ａに挿通される。そして、小口径の口部１Ａを有するボトル１に対しては、キャップ１０の内側筒部１２が対応する小口径の口部１Ａに取着され、当該キャップ１０の天面部１１に挿通された上記チューブ３を介して当該小口径の口部１Ａを有するボトル１の内容物が当該ボトル１の外部に流出可能とされる。他方、大口径の口部２Ａを有するボトル２に対しては、キャップ１０の外側筒部１３が対応する大口径の口部２Ａに取着され、当該キャップ１０の天面部１１に挿通された上記チューブ３を介して当該大口径の口部２Ａを有するボトル２の内容物が当該ボトル２の外部に流出可能とされる。
【００２４】
尚、本考案に係るキャップが被着可能にされる各容器の内容物は、チューブを介して外部から流入されるものであっても良い。即ち、本考案に係るキャップが被着可能にされる各容器の内容物は、チューブを介して内外に流通される。
【００２５】
従って、チューブ３が挿通された単一のキャップ１０を複数のボトル１、２のそれぞれに適用でき、各ボトル１、２に適用されるキャップ１０及びチューブ３の管理は簡易になる。
【００２６】
(b)キャップ１０の内側筒部１２は小口径の口部１Ａに着脱できるねじ１Ｂを備え、外側筒部１３は大口径の口部２Ａに着脱できるねじ２Ｂを備える。キャップ１０の内側筒部１２と外側筒部１３を、それらが対応する各ボトル１、２の口部１Ａ、２Ａに螺着できる。
【００２７】
(c)キャップ１０の内側筒部１２に備えたねじ１２Ａと、外側筒部１３に備えたねじ１３Ａの種類が異なる。キャップ１０の内側筒部１２と外側筒部１３が対応する各ボトル１、２の口部１Ａ、２Ａに備えたねじ１Ｂ、２Ｂの種類（例えばねじのピッチ、リード、ねじ山高さ、条数等）が異なるとき、それらの内側筒部１２と外側筒部１３のそれぞれに備えるねじ１２Ａ、１３Ａの種類を各ボトル１、２の口部１Ａ、２Ａに備えたねじ１Ｂ、２Ｂの種類に適合させ得るものになる。また、キャップ１０の内側筒部１２と外側筒部１３のそれぞれに備えるねじ１２Ａ、１３Ａの種類の選定によって、キャップ１０の内側筒部１２と外側筒部１３のそれぞれが対応する各ボトル１、２に対する当該キャップ１０の螺着操作性を向上乃至は適正化できる（例えば、ねじ１２Ａ（又は１３Ａ）の種類を多条ねじにしてキャップ１回転当たりの進み量を大きくしたり、ねじ１３Ａ（又は１２Ａ）の種類を１条ねじにして当該ねじの締め付け力を大きくする等）。
【００２８】
(d)キャップ１０がボトル１、２に取着された状態で、ボトル１、２の内部空間を外界に連通する空気流通路１４が形成される。各ボトル１、２の内容物がチューブ３を介して当該ボトル１、２の内外に流通する（本実施例では外部に流出する）とき、当該ボトル１、２内に生ずる圧力変化を、当該空気流通路１４による空気の当該ボトル１、２内への流出入によって解消できる。例えば、各ボトル１、２の内容物がチューブ３を介してボトル１、２外に流出するとき、当該ボトル１、２内に生ずる負圧を解消できる。
【００２９】
(e)キャップ１０は２種類のボトル１、２の各口部１Ａ、２Ａに取り換え可能に被着されて用いられる。
【００３０】
図５は、キャップ１０の前記空気流通路１４を空気流通路１５に代えた変形例である。即ち、天面部１１における内側筒部１２に囲まれる範囲内に貫通されて形成される孔状の空気流通路１５が、天面部１１に形成されたチューブ挿通用孔部１１Ａの外周縁部に接するように形成されたものである。空気流通路１５は孔状通路の両端のそれぞれが各ボトル１、２の内部空間と外界のそれぞれに直に臨んで開口するものとされる。
【００３１】
図６は、キャップ１０の前記空気流通路１４を２つの空気流通路１６、１７からなるものに代えた変形例である。
【００３２】
まず、空気流通路１６は、天面部１１における内側筒部１２に囲まれる範囲内の一側面（内側面）に設けられる溝部１６Ａと、内側筒部１２の内周面に設けられる溝部１６Ｂの連通路によって形成される。溝部１６Ａは、キャップ１０がボトル１に被着された状態で、天面部１１の一側面（内側面）においてボトル１の内部空間に臨む始点から該天面部１１の半径方向外方に延在される。そして、溝部１６Ｂは、天面部１１の一側面上に設けられている溝部１６Ａに連続して内側筒部１２の内周面を該内側筒部１２の垂設方向に沿ってその垂設端にまで添在される。内側筒部１２の内周面上における溝部１６Ｂの延在端は外界に臨むものとされる。従って、空気流通路１６は、溝部１６Ａがボトル１の内部空間に臨んで開口し、溝部１６Ｂが外界に臨んで開口するものになる。
【００３３】
次に、空気流通路１７は、天面部１１における内側筒部１２と外側筒部１３の間の一側面（内側面）に設けられる溝部１７Ａと、外側筒部１３の内周面に設けられる溝部１７Ｂの連通路によって形成される。溝部１７Ａは、キャップ１０がボトル２に被着された状態で、天面部１１の一側面（内側面）においてボトル２の内部空間に臨む始点から該天面部１１の半径方向外方に延在される。そして、溝部１７Ｂは、天面部１１の一側面上に設けられている溝部１７Ａの延在端に連続して外側筒部１３の内周面を該内側筒部１３の垂設方向に沿ってその垂設端にまで添在される。外側筒部１３の内周面上における溝部１７Ｂの延在端は外界に臨むものとされる。従って、空気流通路１７は、溝部１７Ａがボトル２の内部空間に臨んで開口し、溝部１７Ｂが外界に臨んで開口するものになる。
【００３４】
図７は、キャップ１０において、外側筒部１３が内側筒部１２の中心軸に対して偏心配置された変形例である。
【００３５】
尚、本考案に係るキャップは、３個以上の容器の互いに口径を異にする口部のそれぞれに対して異なる時機に着脱できるものであっても良い。このようなキャップでは、天面部の一側面に、１個の容器の小口径の口部に着脱できる1個の内側筒部と、該内側筒部の周囲に配置されて、２種類以上の容器の大口径の口部に着脱できる２種類以上の外側筒部とが設けられる。そして、２種類以上の各外側筒部は、該内側筒部の直近の周囲に配置される１個の外側筒部と、該１個の外側筒部の周囲に配置される更に他の１個以上の外側筒部とから構成される。この場合にも、チューブ挿通用孔部は天面部における該内側筒部に囲まれる範囲内に形成される。
【００３６】
また、本考案に係るキャップでは、内側筒部と外側筒部がそれらに対応する各容器にねじを介して着脱できるものに限らず。打ち込み部等の非ねじ部を介してそれらに対応する各容器に着脱できるものでも良い。従って、内側筒部と外側筒部の一方がねじを備え、他方が非ねじ部を備えて、それらに対応する各容器に着脱されるものでも良い。また、内側筒部と外側筒部の双方が非ねじ部を備え、それらに対応する各容器に着脱されるものでも良い。
【００３７】
また、内側筒部と外側筒部とは、天面部の同じ面側ではなく、異なる面側に設けらえていても良い。例えば、内側筒部は図１において天面部の他面側（外面側）に設け、対応する容器の口部に用いる場合に、一面側と他面側を変えて用いることで、各容器に着脱される。
【産業上の利用可能性】
【００３８】
本考案によれば、複数の容器の互いに口径を異にする口部のそれぞれに対して異なる時機に着脱的できるキャップであって、各容器の内容物を当該容器の内外に簡易に流通することができる。
【符号の説明】
【００３９】
１、２  容器（ボトル）
１Ａ、２Ａ  口部
１０  キャップ
１１  天面部
１１Ａ  チューブ挿通用孔部
１２  内側筒部
１２Ａ  ねじ
１３  外側筒部
１３Ａ  ねじ
１４、１５、１６  空気流通路
【図１】
0003219024.tif 000003
【図２】
0003219024.tif 000004
【図３】
0003219024.tif 000005
【図４】
0003219024.tif 000006
【図５】
0003219024.tif 000007
【図６】
0003219024.tif 000008
【図７】
0003219024.tif 000009